(57)【特許請求の範囲】
【請求項１】
軸体と、軸体の外部に設けられたらせん状の土壌撹拌羽根と、土壌撹拌羽根に設けられた土壌切削用爪と、軸体から外部へ伸びたノズルを有し、ノズルは土壌撹拌羽根の径が最大となる位置に設けられていて、ノズルが土壌撹拌羽根よりも突出しており、このノズルの突出部に保護材が設けられていて、注入剤を横方向に高圧噴射することを特徴とする土壌掘削工具。
【請求項２】
軸体の先端部より土壌撹拌羽根を見たときに見える部分を第１領域とし、前部の羽根に隠れる部分を第２領域とすると、実質的に第１領域のみに土壌切削用爪が設けられている請求項１に記載の土壌掘削工具。
【請求項３】
前記軸体で土壌撹拌羽根が取り付けられる部分は軸方向に沿って中央部が太く両端部が細くなる形状である請求項１または請求項２に記載の土壌掘削工具。
【請求項４】
前記軸体が軸方向に沿って実質的に同一の太さである請求項１または請求項２に記載の土壌掘削工具。
【請求項５】
請求項１から請求項４のいずれかに記載の土壌掘削工具を回転させて土壌を掘削し、所定の深さに達した後に土壌掘削工具を逆回転させて土壌を撹拌しながらノズルより注入材を横方向に注入して土壌中に改良体を造成する土壌改良工法。
【請求項６】
請求項１から請求項４のいずれかに記載の土壌掘削工具を逆回転させて土壌を撹拌させながらノズルより浄化剤を横方向に注入する土壌浄化工法。
【発明の詳細な説明】
【技術分野】
【０００１】
本発明に係る土壌掘削工具、土壌改良工法および土壌浄化工法は、軟弱な地盤の改良や汚染された土壌の浄化に関するものである。
【背景技術】
【０００２】
特許文献１には先導管と軸体と軸体の周囲に取り付けられたらせん状羽根を有し、この軸体でらせん状羽根が取り付けられる部分は軸方向に沿って中央部が太く両端部が細くなるように構成され、らせん状羽根の上面および下面に爪を設けた土壌掘削工具を回転させ、かつ先導管より圧縮空気を噴出しながら土壌を掘削し、所定の深さに達した後に土壌掘削工具を逆回転させて土壌を撹拌させながららせん状羽根部よりセメントミルクを注入して土壌とセメントミルクを混合させ、土壌中に改良体を造成することにより、地上にセメントミルクを含む排泥を発生させず、環境問題を引き起こすことなく軟弱地盤の改良工事を実現することが記載されている。特許文献２には、さらにらせん状羽根の外周部にも土壌切削用爪を設けて掘削能力を向上させ、土丹層や玉石混じりの土壌においても、短時間で土壌の掘削を実現することが記載されている。
【０００３】
また、特許文献３および特許文献４には同様の装置を用いて土壌を撹拌しながら地中に浄化剤を注入して、土壌を浄化することが記載されている。
【特許文献１】特開２００３−９０１８９
【特許文献２】特開２００４−２７８０３４
【特許文献３】特開２００３−２５１３２７
【特許文献４】特開２００４−３５８４２０
【発明の開示】
【発明が解決しようとする課題】
【０００４】
特許文献１から４に記載された土壌掘削工具は簡易な装置でありながら、効果的に施工することができるものである。地上に排泥をほとんど出さないので環境に対しても良好であり、排泥処理費用がかからないので低コストで土壌強化工事や土壌浄化が行える。
【０００５】
上述の土壌掘削工具は、注入剤を地中に注入させるためのノズルを備えているが、高圧で注入することによりらせん羽根の外径よりも広い範囲で土壌強化工事や土壌浄化が行える。この施工範囲を広げるためにはより大きな径の土壌掘削工具を使用すればよいが、らせん羽根を大きくすることには限界がある。また、らせん羽根の径を大きくすると、製作コストが上昇する。そこで、羽根をあまり大きくしなくても広範囲で施工できる土壌掘削工具が望まれる。
【０００６】
また、硬い地盤においても高速で効果的に施工できる土壌掘削工具が望まれる。  
【０００７】
この発明は、製作費を著しく増加させることなくしかも広範囲に施工できる土壌掘削工具、土壌改良工法および土壌浄化工法を提供することを目的とする。また、土壌の掘削・撹拌能力を向上させ、固い地盤も含めてさまざまな土壌においても高速で効果的な施工が行える土壌掘削工具を提供することを目的とする。
【課題を解決するための手段】
【０００８】
上述の課題を解決するため、この発明の土壌掘削工具は、軸体と、軸体の外部に設けられた土壌撹拌羽根と、土壌撹拌羽根に設けられた土壌切削用爪と、軸体から外部へ伸びたノズルを有し、ノズルが土壌撹拌羽根よりも突出しており、このノズルの突出部に保護材が設けられていることを特徴とする。さらに、土壌撹拌羽根がらせん状であり、その最大径ｄと土壌切削用爪の本数ｎとが
２７０×ｄ×ｄ＜ｎ＜６００×ｄ×ｄ
の関係を満たすものであることが好ましい。そして、軸体の先端部より土壌撹拌羽根を見たときに見える部分を第１領域とし、前部の羽根に隠れる部分を第２領域とすると、実質的に第１領域のみに土壌撹拌羽根に設けられていることがより好ましい。前記軸体で土壌撹拌羽根が取り付けられる部分は軸方向に沿って中央部が太く両端部が細くなる形状であってもよく、また、軸方向に沿って実質的に同一の太さであってもよい。
【０００９】
この発明の土壌改良工法は、軸体と、軸体の外部に設けられた土壌撹拌羽根と、土壌撹拌羽根に設けられた土壌切削用爪と、軸体から外部へ伸びたノズルを有し、ノズルが土壌撹拌羽根よりも突出しており、このノズルの突出部に保護材が設けられていることを特徴とする土壌掘削工具を回転させて土壌を掘削し、所定の深さに達した後に土壌掘削工具を逆回転させて土壌を撹拌しながらノズルより注入剤を注入して土壌中に改良体を造成するものである。
【００１０】
さらに、この発明の土壌浄化工法は、軸体と、軸体の外部に設けられた土壌撹拌羽根と、土壌撹拌羽根に設けられた土壌切削用爪と、軸体から外部へ伸びたノズルを有し、ノズルが土壌撹拌羽根よりも突出しており、このノズルの突出部に保護材が設けられていることを特徴とする土壌掘削工具を回転させて土壌を掘削し、所定の深さに達した後に土壌掘削工具を逆回転させて土壌を撹拌させながノズルより浄化剤を注入するものである。
【発明の効果】
【００１１】
この発明の土壌掘削工具は、軸体から外部へ伸びたノズルを有し、ノズルが土壌撹拌羽根よりも突出していることによって、注入剤をより遠くへ注入することができ、広範囲において軟弱地盤の強化や土壌の浄化工事が行えるという効果を有する。土壌撹拌羽根を大径化する必要がないので製作費用を押さえることができる。
【発明を実施するための最良の形態】
【００１２】
この発明を実施するための最良の形態について、図面に基づいて説明する。図１は土壌掘削工具を示す一部断面正面図で、図２は同底面図である。
【００１３】
土壌掘削工具１は先端部に先導管２を有し、この先導管２の先端部には土壌を切削するための切削チップ３が設けられている。この先導管２に続いて軸体４が設けられており、この軸体４の外部には土壌撹拌羽根５が設けられている。さらに軸体４の上部には接続部６が設けられている。
【００１４】
軸体４は軸方向に沿って実質的に同一の太さでもよく、図１に示すように土壌撹拌羽根５が取り付けられる部分は軸方向に沿って中央部が太く両端部が細くなる形状でもよい。土壌撹拌羽根５の径が大きい場合には図１のように中央部を太くした方が強度が高くなる。
【００１５】
土壌撹拌羽根５は軸体４の外部にらせん状に設けられている。本例においては、軸体４がテーパー状になっている範囲では土壌撹拌羽根５の外径は中央部に向かって一定の割合で大きくなっている。一方、軸体４の太さが一定である範囲では、土壌撹拌羽根５の外径も一定となっている。
【００１６】
軸体４および接続部６の内部には注入剤通路７が設けられている。そして、軸体４の中央部付近はノズル８が外部に向けて設けられている。このノズル８は、土壌撹拌羽根５の径が最大となる位置に設けられている。そして、ノズル８の先端部は土壌撹拌羽根５の外縁近くに沿って設けられるが、土壌撹拌羽根５より突出している。そして、このノズル８の突出部分を覆うように保護材９が設けられている。
【００１７】
ノズル８は１本でも複数本でもよいが、図１の例では２本であり、軸体４に対して相互に１８０度ずれた位置に配置されている。そして、土壌撹拌羽根５の径が最大となる部分の外周でノズル８より９０度ずれた位置にも保護材９と同形状のプレート１０が設けられている。
【００１８】
土壌撹拌羽根５には多数の土壌切削用爪が設けられている。この土壌切削用爪について詳細に説明する。土壌切削用爪はいくつかの異なったタイプのものが使用されている。
【００１９】
まず、土壌撹拌羽根５の外周部に設けられた土壌切削用爪１１について説明する。図３は外周部の土壌切削用爪を示す正面図、図４は同平面図である。このタイプの土壌切削用爪１１は、金属の板材１１ａと、この板材１１ａにとりつけられた切削チップ１１ｂよりなる。切削チップ１１ｂは硬度の高い特殊鋼で作られていて、先端は尖った形状であり、根元の部分が板材１１ａにロー付け等で接続されている。板材１１ａは土壌撹拌羽根５の外周の接線方向に向けて取り付けられ、切削チップ１１ｂは下向き（先導管方向）に設けられている。そして、この土壌掘削工具１が下向きに進行するときの回転方向に向いて傾斜させて切削チップ１１ｂは取り付けられている。この土壌切削用爪１１は、土壌撹拌羽根５の下端部から最大径部にかけて設けられており、それより上部には設けられていない。
【００２０】
ついで、土壌撹拌羽根５の下面（先導管側に向いた面）に設けられる土壌切削用爪１２について説明する。図５は土壌撹拌羽根５の下面に設けられた土壌切削用爪を示す正面図、図６は同平面図である。外周部に設けられた土壌切削用爪１１と同様に、金属の板材１２ａと、切削チップ１２ｂよりなる。板材１２ａは円周方向に沿って設けられ、切削チップ１２ｂは下向きでしかもこの土壌掘削工具１が下向きに進行するときの回転方向に向いて若干傾斜させて設けられる。ここで、土壌切削用爪１２は土壌撹拌羽根５の下面の内、先導管方向から見える領域に配置される。すわなち、軸体４の先端部より土壌撹拌羽根５を見たときに見える部分を第１領域とし、手前側の羽根に隠れる部分を第２領域とすると、土壌切削用爪１２は第１領域に配置され、第２領域には設けられない。これは、第１領域に設けられた土壌切削用爪１２が土壌の切削・撹拌において効果的に作用し、一方、第２領域に設けてもさほど効果のないことが判明したことに基く。
【００２１】
土壌撹拌羽根５の上面（接続部側に向いた面）に設けられる土壌切削用爪１３は板材のみであり、切削チップを有しない。軸体４の接続部より土壌撹拌羽根５を見たときに見える部分を第１領域とし、手前側の羽根に隠れる部分を第２領域とすると、土壌切削用爪１３も第１領域に配置され、第２領域には設られない。
【００２２】
さらに、保護材９およびプレート１０にも土壌切削用爪１４が設けられている。これらの土壌切削用爪１４は切削チップである。保護材９およびプレート１０のそれぞれにおいて、外側の辺部に２個、側部の辺に２個ずつで計６個が設けられている。
【００２３】
また、土壌切削用爪の個数について鋭意検討を行った結果、固い地盤においても高速で効率的に土壌を切削・撹拌するのに適した条件があることが判明した。
土壌撹拌羽根５の最大径ｄと土壌切削用爪の本数ｎとが
２７０×ｄ×ｄ＜ｎ＜６００×ｄ×ｄ
の関係を満たすとき、最も土壌切削用爪の効果が高い。例えば、特許文献１や特許文献２において、土壌撹拌羽根の最大径が１ｍの土壌掘削工具を示す図には１６０本程度の爪が記載されているが、上式の条件では土壌切削用爪の本数が増加しており、これによって切削・撹拌する能力が向上している。なお、土壌切削用爪の本数ｎをこのように設けることは、特許文献１等に記載されているようなノズルが土壌撹拌羽根から突出していない壌掘削工具に適用した場合にも切削・撹拌する能力を向上させることができ、有効である。
【００２４】
つぎに、この土壌掘削工具を用いた土壌改良工法について説明する。図７に本発明の土壌掘削工具を使用した建設機械の一例を示す。作業台車２１は無限軌道２２を備えて自走可能であり、工事現場において装置全体を容易に移動させることができるものである。作業台車２１には上下動可能なアーム２３を介してリーダー２４が取り付けられている。リーダー２４はチャック２５を上下に移動可能に取り付けるスライド式の取り付け装置である。施工場所に作業台車２１を移動させたら、アーム２３の角度を調整してリーダー２４を垂直に立てる。チャック２５に最上段の中間ロッド２６を通し、チャック２５で中間ロッド２６をつかむ。最上段の中間ロッド２６の上にスィベル２７がつながれ、最下段の中間ロッドの下に土壌掘削工具１が接続される。チャック２５は油圧駆動により中間ロッド２６を正逆両方向に回転させることができる。すなわち、中間ロッド２６はチャック２５の回転を先端の土壌掘削工具１に伝達する駆動軸の働きをする。スィベル２７に注入剤ホース２８と空気ホース２９とが接続され、それぞれのホースは図示しないプラントのグラウトポンプとコンプレッサーにつながれる。スィベル２７、中間ロッド２６および土壌掘削工具１は、それぞれ二重管構造又は三重管構造であるが、空気および注入剤の通路がつながるよう接続される。
【００２５】
土壌掘削工具１により掘り進めるときには、コンプレッサーで空気を送り土壌掘削工具１の先端より噴出するとともに、土壌掘削工具１の土壌撹拌羽根５が下向きに進行するよう回転させる。ある程度掘り進めたら、中間ロッド２６を継ぎ足して、さらに深く掘り進める。土壌撹拌羽根５の外周および下面には切削チップ１１ｂ、１２ｂを有する土壌切削用爪１１，１２が設けられているので、進行方向に向いて設けられた切削チップ１１ｂ、１２ｂにより土壌が効果的に掘削される。切削した土砂を滑らかに後方に送るために、土壌撹拌羽根５の外周は先端から中央部に向かって径が広がり、また上部へ向かって径が小さくなる形状になっている。図１の例の土壌掘削工具１では、前記軸体４で土壌撹拌羽根５が取り付けられる部分は軸方向に沿って中央部が太く両端部が細くなっており、中央部においても土壌撹拌羽根５および軸体４は強固であり、また掘り進みながらスムーズに土砂を後方に送るため、施工中に土壌掘削工具１が地中で破損しにくくなり、比較的硬い地盤や粘土質の場所でも施工ができる。
【００２６】
最終深さまで掘り進めたら、チャック２５の回転方向を逆にして、土壌撹拌羽根５が上向きに進行するよう回転させながら、土壌掘削工具１を引き上げる。この際、注入剤ホース２８より注入剤を導入し、土壌掘削工具１のノズル８より注入剤（例えばセメントミルク）を地中に注入する。引き上げ時には土壌撹拌羽根の上面の土壌切削用爪１３が土砂を撹拌する。建設機械においては、土砂の機械的撹拌と注入剤の噴出による土砂の撹拌が同時に行われ、切削された土砂と注入剤は効率的に混合される上、切削された土砂が排泥として地上に排出されることがない。
【００２７】
超高圧で注入剤を噴出しながら撹拌する場合は、注入剤を横方向に高圧噴射するために、土壌撹拌羽根の径よりも広い範囲の改良体の造成が可能であり、工期の短縮および経済性の向上が実現できるとともに、密着施工や改良体相互の施工が可能となり工事の全体的な一体化がはかれる。そして、本発明においてはノズルが土壌撹拌羽根よりも突出しており、より遠くまで注入剤を注入することができ、施工範囲をより広くすることができる。
【００２８】
土壌撹拌羽根の最大径ｄに対して土壌切削用爪の本数ｎが
２７０×ｄ×ｄ＜ｎ＜６００×ｄ×ｄ
を満たすように十分に設けられているため、土壌の切削・撹拌能力が高く、固い地盤であっても短時間に施工することができる。
【００２９】
引き上げるときは、掘り進めるときとは逆に、中間ロッドを順次取り外しながら作業を進める。所定の高さまで引き上げたら注入剤の注入を停止して、土壌掘削工具１を引き上げる。このようにして一つの穴の施工が完了したら、作業台車２１を次の位置に移動させ、同様の施工を繰り返す。
【００３０】
さらに、土壌掘削工具を使用した土壌浄化工法について説明する。土壌の浄化を行う場合も、図７に示す建築機械を使用することができる。土壌浄化を行う場所に作業台車を移動させ、必要な深さまで土壌掘削工具で掘削する。掘り進めるまでの工程は土壌改良工法と同様に行ってよい。所定の深さまで掘り下げたらチャック２５の回転方向を逆にして、土壌撹拌羽根５が上向きに進行するよう回転させながら、土壌掘削工具１を引き上げる。この際、注入剤ホース２８より土壌浄化に必要な薬剤を導入し、土壌掘削工具１のノズル８より地中に注入する。例えばダイオキシンなどの有機塩素化合物といった揮発性有機化合物やその他の有機化合物を分解・除去するために過酸化水素と鉄粉とを用いることができる。土壌撹拌羽根５よりも突出したノズル８によって遠くまで薬剤を注入することができる。十分な本数の土壌切削用爪によって土壌は地中で撹拌され、注入された薬剤は土壌に均一に混ぜ合わされる。この施工によって排泥が発生しない。したがって、汚染された土砂が地上に排出されたり、薬剤が地上に流れ出ないので周囲の環境に悪影響を与えることなく、地中の土壌を浄化することができる。
【実施例１】
【００３１】
土壌掘削工具の第１の実施例について説明する。図８は土壌掘削工具の第１の実施例を示す一部断面正面図、図９は同。土壌撹拌羽根５の最大径は１５００ｍｍである。軸体４は両端部では直径が２０５ｍｍであるが、土壌撹拌羽根が取り付けられる部分は軸方向に沿って中央部が太く両端部が細くなる形状になっている。軸体４の内部には三重管構造の配管が設けられており、ノズル８に注入剤を供給する通路のほか、エアの通路も設けられている。
【００３２】
図９（ａ）の例では、ノズル８は土壌撹拌羽根５の最大径の部分の外周より５０ｍｍ突出している。そして、このノズルの突出している場所の近くに保護材９を設け、ノズル８の突出部の上側または下側をカバーしている。さらに、この保護材９の外周部に掘削ビットを設けている。また、保護材９と同一形状のプレート１０をやはり土壌撹拌羽根５の最大径の部分の外周で、ノズル８の位置より９０度ずれた位置に設けている。従って、底面図において、保護材９およびプレート１０は同一円周上に並ぶ。これらの保護材９およびプレート１０は土壌の切削を行うとともに、ノズル８の先端部にかかる外力を減少させ、ノズル８を保護する。このようにノズル８を突出させることにより、より遠くまで注入剤を注入することができる。
【００３３】
図９（ｂ）ではノズル８は土壌撹拌羽根５の最大径の部分の外周より１００ｍｍ突出している。したがって、ノズル８の先端の回転半径は８５０ｍｍとなり、これまでの直径１７００ｍｍの土壌撹拌羽根を有する土壌掘削工具に匹敵する程度の広範囲の地盤強化や土壌浄化などを行うことができる。図９（ｃ）では１５０ｍｍ、図９（ｄ）では２００ｍｍノズル８が突出しており、それぞれ、直径１８００ｍｍ、直径１９００ｍｍの土壌撹拌羽根を有する土壌掘削工具に近い能力を有する。しかし、土壌撹拌羽根５の直径は１５００ｍｍしかないので、費用の増加は比較的小さい。
【実施例２】
【００３４】
さらに、土壌掘削工具の第２の実施例について説明する。図１０は土壌掘削工具の第２の実施例を示す一部断面正面図、図１１は同底面図である。土壌撹拌羽根５の最大径は４００ｍｍである。軸体４は全長に渡って直径が１４０ｍｍである。軸体４の内部には三重管構造の配管が設けられており、ノズル８に注入剤を供給する通路のほか、エアの通路も設けられている。
【００３５】
本例でも、ノズル８が土壌撹拌羽根５の最大径の部分の外周より突出している。そして、このノズルの突出している場所の近くに保護材９を設け、ノズル８の突出部の上側または下側をカバーしている。また、保護材９と同一形状のプレート１０をやはり土壌撹拌羽根５の最大径の部分の外周で、ノズル８の位置より９０度ずれた位置に設けている。図１１（ａ）では５０ｍｍ、図１１（ｂ）では５０ｍｍ、それぞれノズル８が突出している。
【産業上の利用可能性】
【００３６】
この発明は、軟弱地盤の強化や汚染土壌の浄化などを行う土壌掘削工具として利用することができる。排泥をほとんど排出しないので、環境に悪影響を与えることがなく、また排泥処理の費用がかからず低コストで施工することができる。土壌撹拌羽根よりも突出したノズル先端から注入剤を注入しながら土壌を撹拌することにより、小型の装置で広範囲の施工を効率的に行うことができる。
【図面の簡単な説明】
【００３７】
【図１】土壌掘削工具を示す一部断面正面図である。
【図２】同底面図である。
【図３】外周部の土壌切削用爪を示す正面図である。
【図４】同平面図である。
【図５】下面の土壌切削用爪を示す正面図である。
【図６】同平面図である。
【図７】土壌掘削工具を含む建設機械を示す説明図である。
【図８】土壌掘削工具の第１の実施例を示す一部断面正面図である。
【図９】同底面図である。
【図１０】土壌掘削工具の第２の実施例を示す一部断面正面図である。
【図１１】同底面図である。
【符号の説明】
【００３８】
１．土壌掘削工具
２．先導管
３．切削ビット
４．軸体
５．土壌撹拌羽根
６．接続部
７．注入剤通路
８．ノズル
９．保護材
１０．プレート
１１、１２、１３，１４．土壌切削用爪
２１．作業台車
２２．無限軌道
２３．アーム
２４．リーダー
２５．チャック
２６．中間パイプ
２７．スイベル
２８．注入剤ホース
２９．空気ホース
【図１】
0004695733.tif 000002
【図２】
0004695733.tif 000003
【図３】
0004695733.tif 000004
【図４】
0004695733.tif 000005
【図５】
0004695733.tif 000006
【図６】
0004695733.tif 000007
【図７】
0004695733.tif 000008
【図８】
0004695733.tif 000009
【図９】
0004695733.tif 000010
【図１０】
0004695733.tif 000011
【図１１】
0004695733.tif 000012